(57)【要約】      （修正有）【課題】管理が簡単かつマスクの衛生的な保管を可能にするマスク留め具を提供する。【解決手段】マスク留め具１は、長尺帯状の本体部材２と、本体部材２の長手方向の一端部３及び他端部４に設けられてなるマスクの耳掛け紐Ｍ３を係止可能な鉤状の係止部５と、本体部材２の中央部６に設けられてなり、本体部材２の表面に近接する方向に押圧する弾性を有する舌片７が形成されてなる挟持部を備えることによって、内側に向けて二つ折りした状態のマスクを挟持部に保持することができる。【選択図】図２
0003228356.tif 000002
【実用新案登録請求の範囲】
【請求項１】
長尺帯状の本体部材と、
前記本体部材の長手方向の一端部及び他端部に設けられてなるマスクの耳掛け紐を係止可能な鉤状の係止部と、
前記本体部材の中央部に設けられてなり、前記本体部材の表面に近接する方向に押圧する弾性を有する舌片が形成されてなる挟持部と、を備える
ことを特徴とするマスク留め具。
【請求項２】
前記舌片が、前記本体部材の表面から裏面へ貫通してなる線状孔によって、略Ｕ字型に縁取られて成形されてなる
ことを特徴とする請求項１に記載のマスク留め具。
【請求項３】
前記挟持部が、中央部に設けられたベース部に対して、弾性部材を介して開閉可能に形成された舌片を備え、
前記舌片は、力を加えない状態では、前記ベース部に圧接してなる
ことを特徴とする請求項１に記載のマスク留め具。
【請求項４】
前記鉤状の係止部が、前記中央部に向かって凸に形成されてなる切込みを備えてなる
ことを特徴とする請求項１〜３のいずれか１つに記載のマスク留め具。
【考案の詳細な説明】
【技術分野】
【０００１】
本考案は、マスク留め具に関する。
【背景技術】
【０００２】
マスク留め具は、耳掛け紐をマスク留め具の係止部に引っ掛けて、マスク留め具を後頭部に配置することで、耳掛け紐を直接耳に掛けずにマスクを装着することを可能にする。そのため、マスク留め具は、マスクの耳掛け紐が耳に食い込むことを防ぎ、長時間マスクを装着しても耳への負担が少ないという効果をもたらす。
【先行技術文献】
【特許文献】
【０００３】
【特許文献１】特開２０１１−１１５４４９号公報
【考案の概要】
【考案が解決しようとする課題】
【０００４】
しかし、顔からマスクを外した際には、マスクとマスク留め具という２つの物品に分かれるため、それらの管理に余計な手間がかかるという問題がある。
【０００５】
また、顔から外したマスクについては、そのままポケットに入れたり、そのままテーブル上に置くなどすることが多く、そのような扱い方では、使用者の口や鼻が触れるマスクの内側面が他のものと不意に接触してしまうことも多く、マスクの衛生面に問題がある。
【課題を解決するための手段】
【０００６】
そこで、上記課題を解決するための手段として本考案に係るマスク留め具は、長尺帯状の本体部材と、前記本体部材の長手方向の一端部及び他端部に設けられてなるマスクの耳掛け紐を係止可能な鉤状の係止部と、前記本体部材の中央部に設けられてなり、前記本体部材の表面に近接する方向に押圧する弾性を有する舌片が形成されてなる挟持部と、を備えることを特徴とする。
【０００７】
特に、前記舌片は、前記本体部材の前記中央部において、基端が前記中央部と連結され、先端が自由端に形成されてなることが好ましい。
【０００８】
また、前記舌片が、略U字型に形成されてなることとしても好ましい。
【０００９】
また、前記挟持部が、前記中央部に設けられたベース部に対して、弾性部材を介して開閉可能に形成された前記舌片を備え、前記舌片は、力を加えない状態では、前記ベース部に圧接してなることとしても好ましい。
【００１０】
また、前記ベース部は、前記中央部に対して、一体に形成されてもよく、また、別部材として前記中央部に接着等により取り付けられることとしても好ましい。
【００１１】
また、前記鉤状の係止部が、前記中央部に向かって凸に形成されてなる切込みを備えてなることとしても好ましい。
【００１２】
また、前記切込みは、本体部材の表面から裏面へ貫通してなる線状孔によって、前記中央部に向かって凸型に縁取られて成形されることとしても好ましい。
【考案の効果】
【００１３】
本考案によれば、マスクを装着する際のマスク留め具としてのみ機能するのではなく、顔から外したマスクを内側に向けて二つ折りして、本考案の挟持部に挟み込むことで、マスクとマスク留め具を一体的に扱うことができ、両者の管理が簡単になる。
【００１４】
また、本考案によれば、顔から外したマスクを内側に向けて二つ折りして、本考案の挟持部に挟み込むことで、使用者の口や鼻が触れるマスクの内側面が外部に露出しない状態を維持できることから、マスクを衛生的に管理することも極めて容易になる。
【図面の簡単な説明】
【００１５】
【図１】第一の実施形態に係るマスク留め具１の概要を示す正面図である。
【図２】第一の実施形態に係るマスク留め具１の挟持部８に、内側に向けて二つ折りしたマスクを挟んだ状態の概要を示す正面図である。
【図３】第一の実施形態に係るマスク留め具１を用いてマスクを顔に装着した状態の概要を示す斜視図である。
【図４】第二の実施形態に係るマスク留め具１の概要を示す斜視図である。
【図５】第二の実施形態に係るマスク留め具１の挟持部８に、内側に向けて二つ折りしたマスクを挟んだ状態の概要を示す正面図である。
【考案を実施するための形態】
【００１６】
以下、本考案に係る実施の形態を、図を参照しながら詳しく説明する。なお、本明細書及び図面において、実質的に同一の機能構成を有する構成要素については、同一の符号を付することにより重複説明を省略する。
【００１７】
図１は、第一の実施形態に係る本考案に係るマスク留め具１の全体の概要を示す正面図である。マスク留め具１は、長尺帯状の本体部材２と、前記本体部材２の長手方向の一端部３及び他端部４に設けられてなるマスクの耳掛け紐Ｍ３を係止可能な鉤状の係止部５、５と、本体部材２の中央部６に設けられてなり、本体部材２の表面に近接する方向に押圧する弾性を有する略Ｕ字型の舌片７が形成されてなる挟持部８とを備える。また、係止部５は、本体部材の表面から裏面へ貫通してなる線状孔によって、中央部６に向かって凸型に縁取られて成形されてなる切込みであってもよい。
【００１８】
このような構造を構成することにより、内側に向けて二つ折りした状態で舌片７に挟み込まれたマスクＭは、舌片７の弾性によって本体部材２の表面に押圧され、その折り畳まれた状態が維持される（図２）。この状態であれば、マスクＭとマスク留め具１を一体的に扱うことができ、両者の管理が簡単になる。また、マスクの内側面Ｍ２が外部に露出しない状態を維持できることから、マスクの内側面が他のものと不意に接触することを防止でき、マスクを衛生的に管理することも極めて容易になる。
【００１９】
マスクＭ使用時には、マスクの内側面Ｍ２を顔表面に当て、図３に示すように、マスク留め具１の係止部５、５にマスクの左右の耳掛け紐Ｍ３、Ｍ３を各々引っ掛けた状態のマスク留め具１を後頭部に配置することで、マスクの耳掛け紐Ｍ３を直接耳に掛けずにマスクＭを顔に装着することができる。このようや装着方法によって、マスクの耳掛け紐Ｍ３、Ｍ３が耳に食い込むことを防止でき、長時間マスクＭを装着しても耳への負担を抑えられる。
【００２０】
また、第二の実施の形態は、図４に示すような、挟持部８が、中央部６に設けられたベース部９に対して、弾性部材１０を介して開閉可能に形成された舌片７を備え、舌片７は、力を加えない状態では、ベース部に圧接する構造であってもよい。
【００２１】
図５は、第二の実施の形態において、内側に向けて二つ折りしたマスクＭを挟持部８に挟み込み、その折り畳まれた状態が維持された様子を示したものである。
【符号の説明】
【００２２】
１  マスク留め具
２  本体部材
３  一端部
４  他端部
５  係止部
６  中央部
７  舌片
８  挟持部
９  ベース部
１０  弾性部材
Ｍ  マスク
Ｍ１  マスクの外側面
Ｍ２  マスクの内側面
Ｍ３  マスクの耳掛け紐
【図１】
0003228356.tif 000003
【図２】
0003228356.tif 000004
【図３】
0003228356.tif 000005
【図４】
0003228356.tif 000006
【図５】
0003228356.tif 000007